(57)【要約】【課題】  電子カメラ等の撮像装置や移動通信端末及びパーソナル情報携帯装置とプリンタ間で、無線通信によりデータの送受信を行うプリントシステムにおいて、携帯端末の処理負荷及び記憶メモリを削減する。【解決手段】  携帯端末機器にて取得したＵＲＬ情報やＨｏｍｅ Ｐａｇｅ、画像等のデータを記憶しておき、無線通信を利用して、ＰＣ或いはプリンタに送信し、詳細情報の取得及び印刷処理をＰＣ、あるいはプリンタにて実行するようにすることで、携帯端末の処理負荷及び記憶メモリを削減する。【選択図】  図１
2006215630.tif 000002
【特許請求の範囲】
【請求項１】
無線通信規約に則った無線通信により情報を送受信できる通信部を備えたプリンタとデータ通信回線網への通信機能を備え該プリンタとの間で該無線通信が可能な情報処理装置と携帯端末機からなるプリントシステムであって、該携帯端末機にて予めデータ通信回線網から取得した情報を該携帯端末に記憶しておき、該記憶情報を当該情報装置に無線通信にて送受信する。該記憶情報を受信した当該情報処理装置では、受信情報を基に当該データ通信回線網を経由して詳細情報を取得し、当該情報処理装置にて印刷処理をして該無線通信にて前記プリンタに送信して印刷することを特徴とするプリントシステム。
【請求項２】
記憶情報が、データ通信回線網の情報発信元のロケーションを指し示すことを特徴とする請求項１記載のプリントシステム。
【請求項３】
データ通信回線網が、インターネットであることを特徴とする請求項１記載のプリントシステム。
【請求項４】
プリンタが、インクジェット方式でることを特徴とする請求項1記載のプリントシステム。
【請求項５】
情報処理装置が、パーソナルコンピュータであることを特徴とする請求項１記載のプリントシステム。
【請求項６】
携帯端末機が、携帯電話であることを特徴とする請求項1記載のプリントシステム。
【請求項７】
携帯端末が、個人情報管理機器（PDA）であることを特徴とする請求項1記載のプリントシステム。
【請求項８】
通信規約が、Bluetoothまたは、IrDAよりなることを特徴とする請求項1に記載のプリントシステム。
【請求項９】
画像データの格納された記憶装置が装着可能で、該画像データの伸張を実行する画像伸張部と、該画像伸張部にて伸張された画像データを、印刷可能な印刷データに変換する画像処理部とを有し、無線通信規約に則った無線通信により該記憶装置に記憶された画像データを送受信できる通信部とデータ通信回線網への通信機能を備えたプリンタとデータ通信回線網への通信機能を備え該プリンタとの間で該無線通信が可能な情報処理装置と携帯端末機とからなるプリントシステムであって、該携帯端末機にて予めデータ通信回線網から取得した情報を該携帯端末に記憶しておき、該記憶情報を当該プリンタに無線通信にて送受信する。該記憶情報を受信した当該プリンタでは、受信情報を基に当該データ通信回線網を経由して画像データを含む詳細情報を取得し、当該プリンタの該画像伸張部及び該画像処理部にて印刷データ処理をして印刷することを特徴とするプリントシステム。
【請求項１０】
プリンタが、インクジェット方式でることを特徴とする請求項9記載のプリントシステム。
【請求項１１】
記憶装置が、メモリカードであることを特徴とする請求項9記載のプリントシステム。
【請求項１２】
携帯端末機が、携帯電話であることを特徴とする請求項9記載のプリントシステム。
【請求項１３】
携帯端末が、個人情報管理機器（PDA）であることを特徴とする請求項9記載のプリントシステム。
【請求項１４】
情報処理装置が、パーソナルコンピュータであることを特徴とする請求項9記載のプリントシステム。
【請求項１５】
該記憶情報が、データ通信回線網の情報発信元のロケーションを指し示すことを特徴とする請求項9記載のプリントシステム。
【請求項１６】
該無線通信にて当該携帯端末機と送受信する前記画像データが、縮小画像であることを特徴とする請求項9に記載のプリントシステム。
【請求項１７】
通信規約が、Bluetoothまたは、IrDAよりなることを特徴とする請求項9に記載のプリントシステム。
【発明の詳細な説明】
【技術分野】
【０００１】
本発明は、電子カメラ等の撮像装置や移動通信端末及びパーソナル情報携帯装置とプリンタ間で、無線通信によりデータの送受信を行う無線通信装置及びそれを利用したプリンティングシステムに関するものである。
【背景技術】
【０００２】
従来、データ通信回線網（以下、インターネット）への接続機能を有する携帯電話等の通信装置や、画像を撮像する撮像装置を内蔵したデジタルカメラ付き携帯電話などの通信装置或いは、インターネットへの接続機能を有するパーソナル情報携帯装置（以下、PDA）などから画像や、ドキュメント等を印刷する場合、通信装置や携帯装置の記憶メモリにインターネットから取得した情報を一時記憶しておき、パーソナルコンピュータ（以下、PC）と個々にケーブル接続し、一時記憶された情報をケーブルを経由してPCに送信し、PC上での画像処理、ドキュメント処理を実行して、PCとのインターフェイスを有するプリンタ出力装置に印刷する方式や、通信装置や携帯装置に搭載されているインターネット接続機能を使用してダイレクトにPC上に情報を取得（以下、ダウンロード）し印刷処理をPCにて実行した後、接続されているプリンタに印刷する方式が一般的である。
【０００３】
しかしながら、この場合は、携帯電話等の通信装置や、ＰＤＡ等からの情報を印刷するためには、プリンタと接続されるＰＣに通信装置や携帯装置に一時的に保存されている情報を一度送る必要がある。このために、ＵＳＢなどのケーブルで端末とＰＣを接続し、更には、携等端末からの情報を読み込むためのアプリケーションをPC上で起動させる必要がある。また、常にケーブル接続しておくことも可能ではあるが、使用上の不便さ、煩わしさが感じられ、携帯端末の本来の携帯性を損なうという問題があった。また小型携帯という性質から画像やドキュメントを格納できるメモリサイズにも制限があり、インターネットから取得した印刷情報を携帯端末の内部メモリに記憶保存しておくことも限界があり難しいという問題もある。
【０００４】
また、近年、通信装置や携帯端末に搭載されているマイクロコントローラ（以下、CPU）の処理速度、或いは、メモリの容量等も高速化、大メモリ容量化、更には、メモリカード機能を搭載した製品も商品化されてきている。しかし、携帯端末装置であるが故に、小型軽量とならざるを得ず、また、機器の消費電力を極力抑え動作時間を延ばす必要があることから、依然として、メモリの増加にも限度があり、またCPUの処理速度向上にも限界があり、通信装置や携帯装置にてインターネット等からダウンロードした情報を通信装置や携帯装置内で処理をしてダイレクトにプリンタに印刷するには、処理速度（以下、パフォーマンス）が遅いという問題があった。
【０００５】
以下、［従来図］を用いて従来例を以下説明する。
【０００６】
図６の従来例１は、インターネットへの接続機能を有するパーソナル情報携帯装置であるPDA603を所定の接続ケーブル605、例えばUSBケーブルなどにて、ノートPC601（以下、PC)と接続し、PC601と出力機器であるプリンタ600を同様に所定の接続ケーブル602、例えばUSBケーブルにて接続するようにした一般的なPC601用のプリントシステム構成である。更には、PC601上で動作する専用の画像読み込みソフトウエア（不図示）或いは、ドキュメントの読み込みソフトウエア（不図示）を実装する必要がある。PC601に実装されている専用のソフトウエアの制御の基に、ユーザは、PDA603の記憶部である内部メモリ（不図示）或いは、PDA603に搭載されているメモリカード（不図示）の画像メモリやドキュメントデータをPC601上に読み込み、表示器606に表示することになる。この時、前記専用ソフトウエアは、読み込み情報を画像の縮小画像（以下、サムネイル）やドキュメントの一覧として表示する機能を有しているのが一般的で、結果としてすべての画像データやドキュメントリストをPC601の表示器606に一覧として表示する。表示された画像或いは、ドキュメントリストの一覧の中からユーザは、所望の情報を選択し、PC601上にて処理ソフトウエア（不図示）の制御の基、PC601に接続されたプリンタ600に所望の情報を出力することが出来る。或いは、通信装置のインターネット接続機能のみを使用し、インターネットからの情報をダイレクトにPC上に読み込むことで、通信装置及び携帯装置の記憶メモリの不足や処理能力の不足を補っている。
【０００７】
また、同様にインターネットへの接続機能を有する携帯電話等の通信装置604からの印刷時は、PDAからの印刷と同様に所定の接続ケーブル607、例えば、USBケーブルなどにて、ノートPC601（以下、PC)と接続し、PC601と出力機器であるプリンタ600を同様に所定の接続ケーブル602、例えばUSBケーブルにて接続するようにした一般的なPC601用のプリントシステムの構成である。更には、前述のPDAとの接続の従来例と同様に、PC601上で動作する専用の画像読み込みソフトウエア（不図示）或いは、ドキュメントの読み込みソフトウエアを実装する必要がある。PC601に実装されている専用のソフトウエアの制御の基に、ユーザは、通信装置604の記憶部である内部メモリ（不図示）或いは、通信装置604に搭載されているメモリカード（不図示）の画像メモリやドキュメントデータをPC601上に読み込み、表示器606に表示することになる。この時、前記専用ソフトウエアは、縮小画像（以下、サムネイル）や通信装置のメモリに記憶されている情報、例えば、アドレス帳などの一覧を表示する機能を有しているのが一般的で、結果としてすべての画像データや、アドレス帳をPC601の表示器606に一覧として表示する。表示された画像一覧、アドレス帳の中からユーザは、所望の画像やアドレスを選択し、PC601上にて画像処理ソフトウエア（不図示）或いは、ドキュメント処理ソフトウエア（不図示）の制御の基、PC601に接続されたプリンタ600に所望の画像やアドレスを出力することが出来る。或いは、PDA603のプリントシステムと同様に、携帯装置のインターネット接続機能のみを使用し、インターネットからの情報をダイレクトにPC上に読み込むことで、通信装置及び携帯装置の記憶メモリの不足や処理能力の不足を補っている。
【０００８】
又、別の従来例としては、特許文献１及び特許文献２をあげることが出来る。
【特許文献１】特開２００３−１９９０３１号公報
【特許文献２】特開２００４−２３４４６５号公報
【発明の開示】
【発明が解決しようとする課題】
【０００９】
この様な従来の印刷方法では、携帯電話等の通信装置や、ＰＤＡ等の情報を印刷するためには、プリンタと接続されるＰＣに情報を一度送る必要があり、ＵＳＢなどのケーブルで携帯電話やPDAなどの携帯端末とＰＣを接続し、更には、携帯端末からの情報を読み込むためのアプリケーションを起動させる必要があった。また、これら携帯端末をPCと常にケーブル接続しておくことも可能ではあるが、使用上の不便さ、煩わしさが感じられ、携帯端末の本来の携帯性を損なうという大きな問題があった。また小型携帯という性質から画像やドキュメントを格納できるメモリサイズにも制限があり、多くの印刷情報を携帯端末の内部メモリに記憶保存しておくことも難しいという問題もあった。
【００１０】
近年、通信装置や携帯端末に搭載されているマイクロコントローラ（以下、CPU）の処理速度、或いは、メモリの容量等も高速化、大メモリ容量化、更には、メモリカード機能を搭載した製品も商品化されてきている。しかし、携帯端末装置であるが故に、小型軽量とならざるを得ず、また、機器の消費電力を極力抑え動作時間を延ばす必要があることから、メモリの増加にも限度があり、またCPUの処理速度向上にも限界があるという問題も依然として残っているために、通信装置や携帯装置のインターネット接続機能のみを使用し、インターネットからの情報をダイレクトにPC上に読み込むことで、通信装置及び携帯装置の記憶メモリの不足や処理能力の不足を補わざるを得ないと言う問題がある。
【００１１】
（発明の目的）
本発明はかかる問題点に鑑みて、発明されたものであり、インターネットへの接続機能を有する携帯電話等の通信装置或いは、PDAなどの携帯端末にて、インターネットから取得する情報を簡略された情報、例えば、http://www.candy.co.jp/pubindex.html等のように記述されるインターネット上の情報元のロケーションを指し示す記述様式であるUniform Resource Locator （以下、URL）情報のみを一時記憶しておくことで、記憶すべき情報量を削減できるため、詳細の情報を取得する必要はなく、限られたメモリの範囲内で多くの情報を取得できるようにする。更には、インターネットへの接続機能を有し、且つ、無線データ通信機能を有するPCやプリンタと一時的に記憶した簡略情報であるURL情報などを無線データ通信を介して通信することにより、URL情報を基にPCやプリンタにて画像やドキュメントデータなどをインターネット上の特定の場所と送受信して、PC上の表示器に画像を表示させたり、プリンタに情報を印刷させるプリントシステムを提供しようとするものである。
【課題を解決するための手段】
【００１２】
本発明はかかる目的を達成するために、プリンタに画像データを含む情報を送受信する無線データ通信手段を搭載する。また、インターネットなどのデータ通信回線網への接続機能を有するPCやPDA,或いは、通信装置にプリンタと同様の無線データ通信手段を搭載する。PDAや通信装置に一時的に記憶された簡略情報であるURLを基に、インターネットから詳細情報を取得後、詳細情報を無線データ通信方式により画像データやドキュメント情報などを所定のフォーマットで前記プリンタやPCに送受信するようにすることにより、ケーブル接続することなく取得情報を直接プリンタに送信し印刷することが可能となり、また、一時的に記憶された簡略情報であるURL情報を一度処理速度の速いPCに送信して、PCを介してインターネットに接続して詳細の画像や情報を取得し、PC上にて処理することにより処理速度の制限があるPDAや通信装置での処理をすることなく、より高速且つ快適な操作性を得ることが出来る。また、無線通信手段をBluetoothやIrDAなどの方式を用いて、通信規約（以下、プロファイル）に則った無線通信により送受信することも可能となる。
【発明の効果】
【００１３】
以上、説明した様に、携帯電話などの比較的処理能力の低い携帯端末では、インターネット情報のロケーション情報（URL）のみを取得記憶するようにし、Bluetoothなどの無線データ通信方式に従って接続されたNote PC或いは、プリンタにURL情報のみを送受信することで、詳細情報の検索や詳細情報のダウンロード及び印刷に関する画像処理をNote PC或いは、プリンタにて処理するようにすることにより携帯電話やPDAなどに高い処理能力を要求することもなく快適に操作をすることが出来る。また、URL情報などの簡略情報の記憶のみですむために少ない記憶メモリ容量でも多くの情報発信元のURLを収集することが出来る上に、必要なときに携帯端末より更に高速処理が可能な機器での印刷処理を可能とするものである。
【００１４】
即ち、高速処理能力を有する高価な通信装置を必要とせず、又、必要以上にメモリを追加する必要もないため安価な携帯端末が使用できるという利点もある。
【００１５】
更には、携帯端末の携帯性を有効に活用することで、いつでも、どこでも必要十分な情報発信源のロケーション情報のみを数多く少ない記憶容量で取得する事が可能であり、必要であれば、後でケーブル接続することなく携帯性を維持したままの状態でNote PCやプリンタと無線接続して詳細情報を取得・印刷することが可能となる。
【発明を実施するための最良の形態】
【００１６】
以下、本発明の実施例に基づいて説明する。
【００１７】
図1は、本発明の実施形態のシステム全体構成ブロックを示す図である。
【００１８】
図１において、100は、印刷装置（以下、プリンタ）、200は、携帯端末装置（以下、携帯電話）、300は、Note PC、400は、携帯端末装置であるPDA、500は、データ通信回線網であるインターネットである。
【００１９】
プリンタ100は、通信部103及びアンテナ111を介して、携帯電話200は、通信部208及びアンテナ209を介して、Note PC300は、通信部308及びアンテナ309を介して、PDA400は、通信部408及びアンテナ409を介して、それぞれが無線通信にて相互にコマンド、画像データを含むデータの送受信を可能としている。また、プリンタ100、携帯電話200、Note PC300、及びPDA400間の無線通信は、Bluetooth等のスペクトラム拡散方式により行われている。すなわち、通信部103、208、308、及び408は、前述のBluetoothやIrDAなどの通信規約（以下、プロファイル）に則った無線通信により送受信出来る必要がある。Bluetoothは、スエーデンのEricsson社などが開発した近距離無線データ通信技術で、主にコンピュータと携帯電話などの移動体通信装置とを無線で接続することを目的とした技術である。データ通信を実行する双方の通信部103、208、308、及び408は、Bluetooth等の所定のプロファイルを搭載しておく必要があるのは、言うまでもない。
【００２０】
Bluetoothは、現在は、最大伝送距離は、10メートルで、最大データ転送速度は、1Mbpsである。また、IrDAは、赤外線を利用した通信技術であり、Bluetoothの場合と同様に、双方の通信部103、208、308及び408は、赤外線の受光/発光部である必要がある。
【００２１】
一方、携帯電話200は、通信部206及びアンテナ207を介して、データ通信回線網であるインターネット500に接続され、またNote PC300は、モデムなどで構成される通信部311を介してインターネット500に接続され、PDA400は、モデムカードやLANカードなどで構成される通信部411を介してインターネット500に接続されている。
【００２２】
図2は、本発明のプリンタ100の詳細構成を示すブロック図である。
【００２３】
同図において、101は、プリンタエンジンであって、プリントヘッド、プリントヘッド搬送機構、印刷用紙の搬送機構及びその駆動モータ等を装備したものである。
【００２４】
102は、プリンタ100の全体を制御するプリンタ制御部であり、プリンタエンジン101を駆動制御したり、コネクタ105に装着された半導体メモリやハードディスクなどから構成されるメモリカード（不図示）の画像データを読出し、画像処理部109や画像伸張部110でプリンタ100にて印刷可能なデータ形式に変換を司るプリンタ制御部であり、マイクロコントローラ（不図示、以下、CPU)や専用回路（以下、ASIC)等で構成されている。
【００２５】
108は、プリンタ制御部102の動作用の定数、変数、プログラムが格納されているプログラムメモリであって、リードオンリーメモリ（ROM）で構成され、プリンタ制御部102、通信部103、メモリカードスロット制御部104、画像処理部109、画像伸張部110等の制御プログラム、BluetoothやIrDA等の通信規約(以下、プロファイル）のソフトウエア等が格納されている。
【００２６】
103は、通信部で、Bluetooth等のスペクトラム拡散通信やIrDA等の赤外線通信等の各種近距離データ通信機能を有する。111は、通信部103によりプリンタ100を他の機器と接続するためのアンテナ或いは、IrDA用の赤外線送受信モジュールである。
【００２７】
104は、コネクタ105に装着されるメモリカード（不図示）の画像データなどの記憶情報を読み書きするメモリカードスロット制御部で、ＰＣＭＣＩＡメモリカードやコネクタの形状変更アダプタ等を用いることによりコンパクトメモリカード等の種々のメモリカードに対応できる。また、種々のメモリカードに対応するメモリカードスロット制御部を搭載することによりコネクタの形状変更アダプタを用いる必要がないことは言うまでもない。
【００２８】
105は、メモリカードコネクタであり、一般的には、業界団体で統一規格化されたＰＣＭＣＩＡカードコネクタが使用される。
【００２９】
106は、プリンタ100の操作部であり、プリンタ100の電源スイッチや状態表示用のLED等で構成される。
【００３０】
107は、プリンタ制御部102のCPUが動作するときの作業用メモリや一時記憶部として使用する記憶部であり、ランダムアクセスメモリ（以下、RAM)である。
【００３１】
109は、画像処理部であって、不図示のデジタルスチルカメラなどで撮像されたメモリカード（不図示）の画像データは、光学系の3原色である赤、緑、青のいわゆるRGBの色空間データで表現されており、また画像サイズを少なくするために所定のフォーマットで圧縮されているのが一般的であるが、インクジェットプリンタなどのプリンタでは、光学系の3原色とは異なり黄、マジェンダ、シアンのいわゆるY,M,Cの色空間データで表現される。従って、プリンタにて印刷できるように、画像処理部109にてRGBの色空間データをYMC色空間データに変換する。
【００３２】
110は、画像伸張部であり、例えば、Joint Photographic Experts Group画像(以下、JPG)の解凍処理部であり、デジタルスチルカメラなどで一般的に使用されている画像圧縮のファイルフォーマットであるJPGファイルをビットイメージに戻し、プリンタ100にて印刷可能なデータ形式に変換する。本実施例では、JPG画像で説明するが、JPG形式だけでないのは、言うまでもない。
【００３３】
112は、不図示の交流電源或は、バッテリなどの直流電源からシステム電源を生成する電源部である。
【００３４】
図3は、本実施例での携帯端末装置200である携帯電話の詳細を示すブロック構成図である。
【００３５】
同図において、201は、携帯端末装置200全体を制御する通信システム制御部であり、205は、通信システム制御部201の制御用プログラムや動作用の各種定数、変数、画像表示制御、及びBluetoothやIrDA等の通信規約(以下、プロファイル)のソフトウエア等が格納されているリードオンリーメモリ（以下、ROM）、或いは、通信回線番号等を記憶するための電気的に消去/再書き込みができる不揮発性のメモリ(以下、Flash ROM）などで構成されている。
【００３６】
また、204は、CPU及び専用回路から構成される通信システム制御部の作業用メモリや、マイク212で入力した音声及び或は、プリンタ100から送信された画像データなどを格納するためのメモリでありランダムアクセスメモリなどで構成されている。
【００３７】
また、RAM204の記憶容量は、所定時間の音声及び或は、所定枚数の画像データを格納するに十分な記憶容量を備えている。
【００３８】
202は、通信システム制御部201でのプログラムの実行に応じて、RAM204に格納された画像データや操作部203からの操作指示情報で動作状況やメッセージなどを表示する画像表示部であり、液晶表示器（以下、LCD)などにて構成される。
【００３９】
203は、通信システム制御部201の各種動作指示を入力するための操作部であり、スイッチやダイヤル、タッチパネル、ポインティングデバイスなどの単一或は、複数の組み合わせにて構成される。
【００４０】
操作部203によれば、携帯端末装置200の電源の接/断、通話の実行/停止、電話番号の入力/選択、通信モードの切替え、機能の選択等の操作を行うことが出来る。
【００４１】
206は、通信部であり、各種遠距離無線通信機能を有する。207は、通信部206により携帯端末装置200を他の通信装置及び或は、通信基地と回線接続するアンテナである。
【００４２】
208は、通信部であり、Bluetooth等のスペクトラム拡散通信、IrDA等の赤外線通信等の各種近距離無線データ通信機能を有する。209は、通信部208により携帯端末装置200を他の近距離データ通信装置と接続するアンテナである。
【００４３】
212は、音声を電気信号に変換するマイク、212は、マイク212のアナログ電気信号をデジタル信号に変換するA/D変換部である。
【００４４】
211は、デジタル信号をアナログ信号に変換するD/A変換部、213はアナログ電気信号を音声信号に変換するスピーカである。通信制御部201の制御の基、メモリ204から読み出されたデジタルデータがD/A変換部211に入力される。D/A変換部にて変換されたデジタルデータは、アナログデータ、即ち音声データとしてスピーカ213に出力される。
【００４５】
214は、電源部であり、DC-DCコンバータ等で構成され、バッテリ（不図示）などのDC電源入力からシステムの電源を生成する。
【００４６】
図４は、本実施例での情報処理装置であるNote PCのブロック図を示すものである。
【００４７】
図４において、301は、情報処理装置300全体を制御するマイクロプロセッサであり、ROM305に格納されている起動プログラム（以下、BIOS）に従って、システム制御部302に指示をする。
【００４８】
302は、システム制御部であり、CPU301の指示の基に情報処理装置300のすべての制御を司る制御部であり専用回路で構成される制御部であり、記憶装置307とのデータの書き込み、読み出しや表示部306に表示データを送信したりする。またキー操作部303からのキー指示データの読み込みや通信部308とのデータの送受信などの制御もすることになる。
【００４９】
303は、システム制御部302の各種動作指示を入力するための操作部であり、スイッチやダイヤル、タッチパネル、ポインティングデバイスなどの単一或は、複数の組み合わせにて構成される。
【００５０】
操作部303によれば、情報処理装置300の電源の接/断、通話の実行/停止、情報の入力/選択、通信モードの切替え、機能の選択等の操作を行うことが出来る。
【００５１】
304は、CPU301及び専用回路から構成されるシステム制御部の作業用メモリや、プリンタ100から送信された動作状態情報などを格納するためのメモリでありRAMなどで構成されている。
【００５２】
305は、システム制御部302の制御用プログラム、システムの起動用の制御プログラムやBluetoothやIrDA等のプロファイルのソフトウエア等や動作用の各種定数、変数等が格納されている。ROM、或いは、電気的に消去/再書き込みができる不揮発性のメモリ(以下、EEPROM)などで構成されている。
【００５３】
306は、システム制御部302でのプログラムの実行に応じて、RAM304に格納された画像データや操作部303からの操作指示情報で動作状況やメッセージなどを表示する画像表示部であり、液晶表示器（以下、LCD）などにて構成される。
【００５４】
307は、記憶装置であり、一時的にデータを記憶したり、或いは、アプリケーションソフトウエアを記憶しておくための記憶装置である。また、接続先プリンタの切替えを指示するなどの印刷制御プログラムの他、通信装置と送受信したデータを格納したりするためにも使用されるものであり、ハードディスク装置や半導体メモリやメモリカードなどで構成される。ROM305に格納されているシステム制御プログラムを格納することも可能である。
【００５５】
308は、通信部であり、Bluetooth等のスペクトラム拡散通信、IrDA等の赤外線通信等の各種近距離無線データ通信機能を有する。309は、通信部308により情報処理装置300を他の近距離データ通信装置と接続するアンテナである。
【００５６】
310は、電源部であり、情報処理装置300の各部が必要とするシステム電源を生成する回路で、AC電源入力からシステムの電源を生成する。
【００５７】
311は、インターネットなどへのデータ通信回線網500に接続するための通信部であり、電話回線網を使用する場合は、モデム装置を使用する。また、データ通信回線網に直接接続する場合は、一般的に10/100 Base-TといわれるLANアダプタを使用する。最近では、ブロードバンドルータやADSLモデムなども使用されている。
【００５８】
図５は、本実施例での携帯端末装置400であるPDAの詳細ブロック図を示す。
【００５９】
PDAの基本構成は、図４にて説明したNote PCと類似しており、CPU401の処理能力や携帯がためのメモリ容量の物理的な制限や電源の消費電力などの点で異なる以外は、機能的に同等の機能を有する。操作部としてタッチパネルを使用し、ペンなどによる文字認識機能にて情報の入力をしたり、操作の指示をするのが一般的である。
【００６０】
図５において、401は、携帯端末装置400全体を制御するマイクロプロセッサであり、ROM405に格納されているプログラムに従って、システム制御部402に指示をする。
【００６１】
402は、システム制御部であり、CPU401の指示の基に携帯端末装置400のすべての制御を司る制御部であり専用回路で構成される制御部であり、記憶装置407とのデータの書き込み、読み出しや表示部406に表示データを送信したりする。またタッチパネル操作部403からのキー指示データの読み込みや通信部408とのデータの送受信などの制御もすることになる。
【００６２】
403は、システム制御部402の各種動作指示を入力するための操作部であり、タッチパネルにて構成される。
【００６３】
操作部403によれば、携帯端末装置400の電源の接/断、通話の実行/停止、電話番号の入力/選択、通信モードの切替え、機能の選択等の操作を行うことが出来る。
【００６４】
404は、CPU401及び専用回路から構成されるシステム制御部の作業用メモリや、プリンタ100から送信された動作状態情報などを格納するためのメモリでありRAMなどで構成されている。
【００６５】
405は、システム制御部402の制御用プログラム、システムの起動用の制御プログラムやBluetoothやIrDA等のプロファイルのソフトウエア等や動作用の各種定数、変数等が格納されている。ROM、或いは、電気的に消去/再書き込みができる不揮発性のメモリ(以下、Flash ROM)などで構成されている。
【００６６】
406は、システム制御部402でのプログラムの実行に応じて、RAM404に格納された画像データや操作部403からの操作指示情報で動作状況やメッセージなどを表示する画像表示部であり、液晶表示器（以下、LCD）などにて構成される。
【００６７】
407は、記憶装置であり、一時的にデータを記憶したり、或いは、アプリケーションソフトウエアを記憶しておくための記憶装置である。また、接続先プリンタの切替えを指示するなどの印刷制御プログラムの他、通信装置と送受信したデータを格納したりするためにも使用されるものであり、メモリカードタイプのマイクロハードディスク装置やメモリカードなどで構成される。ROM405に格納されているシステム制御プログラムを格納することも可能である。
【００６８】
408は、通信部であり、Bluetooth等のスペクトラム拡散通信、IrDA等の赤外線通信等の各種近距離無線データ通信機能を有する。409は、通信部408により携帯端末装置400を他の近距離データ通信装置と接続するアンテナである。
【００６９】
410は、電源部であり、携帯端末装置400の各部が必要とするシステム電源を生成する回路で、バッテリ電源入力からシステムの電源を生成する。
【００７０】
411は、インターネットなどへのデータ通信回線網500に接続するための通信部であり、電話回線網を使用する場合は、モデムカード装置を使用する。また、データ通信回線網に直接接続する場合は、一般的に10/100Base-TといわれるLANカードアダプタを使用する。
【００７１】
以下、図2、図3及び図4を用い、携帯電話200をインターネット500に接続し、簡略情報であるURL情報を取得した後、無線データ通信にてNote PC300にURL情報を送信することによりNote PC300での詳細情報取得、及びプリントの動作の詳細を説明する。尚、PDA400をインターネット500に接続して簡略情報であるURL情報を取得した後、無線データ通信にてNote PC300にURL情報を送信することによりNotePC300での詳細情報取得、及びプリントの動作も同様であるため詳細の説明は省略する。
【００７２】
図3において、ユーザは、キー操作部203からキー入力をすることによって、ROM205に格納されている不図示のアプリケーションソフトウエアであるインターネット閲覧ソフト（以下、Webブラウザー）を起動させる。Webブラウザーは、通信システム制御部201の制御の基に、通信部206及びアンテナ207を介して、インターネット500に接続する。
【００７３】
携帯電話200がインターネット500に接続されるとWebブラウザーは、インターネット500上に存在する情報発信元（以下、ホームページ）のロケーション情報であるURLなどの情報を表示部202であるLCD表示器に表示し、ユーザからの指示を待つことになる。
【００７４】
ホームページは、Hyper Text Markup Language（以下、HTML）といわれる記述言語で記述されているのが一般的であり、文字の表現や画像の表示などをHTMLの記述で階層的に記述してある。従って、詳細情報を取得するためには、最終階層まで掘り下げて取得する事になる。例えば、ホームページの記述例としてキヤノンのホームページのURLは、以下のように記述される。すなわち、http://www.candy.co.jp/となる。
【００７５】
このURLには、前記したHTMLという業界標準の記述言語を使用して種々の情報を構築してある。すなわち、文章などのテキスト表記やイメージなどの画像や図などを記述言語表記してある。
【００７６】
携帯電話200上のWebブラウザーは、これらの記述言語で記述されたホームページ情報をインターネット500からアンテナ207及び通信部206を介して取得（以下、ダウンロード）し、RAM204或いは、電気的に書き込み可能なROM205に格納する。
【００７７】
通信システム制御部201は、ダウンロードしたHTML言語で記述されている情報を解釈することにより、さらに詳細の情報や画像データをインターネット500のURLからダウンロードし表示部202のLCDに表示する。このときのHTMLの解釈や画像データのダウンロードや画像データの表示、更には、プリンタ100に印刷するためには、プリンタが処理できるデータ形式、たとえば、ラスターデータ形式に変換するなど複雑な演算処理が必要とされ、高速処理能力の通信システム制御部201が必要とされる。中低速の処理能力である携帯電話200では、動作が遅くなり使用に耐えないものになってしまう可能性がある。
【００７８】
そこで、本実施例では、通信システム制御部201でのHTMLの解釈や画像データの表示をするのみとし、ユーザが取得したい情報の確認が出来る範囲だけの情報を選択表示できるようにすることで、詳細の情報及びデータは、ダウンロードしないようにする。
【００７９】
即ち、詳細データの代わりにインターネット500上で前記詳細データのロケーションを示すURL情報や或いは、URLの中の画像データなどのロケーションのみをアンテナ207及び通信部206を介してダウンロードして、RAM204やROM205に記憶することにする。ここで、インターネット500での画像データ形式は、データのメモリサイズを少なくするために、画像データを圧縮して格納するのが一般的であり、JPG（Joint Photographic Experts Group）やGIF(Graphics Interchange Format)等のフォーマットが使用されている。
【００８０】
従って、ホームページ中の画像データなどは、
例えば、ホームページ  http://www.candy.co.jp/の画像データSample1.jpgに関しては、http://www.candy.co.jp/Sample1.jpgと記述され、ホームページhttp://www.candy.co.jp/より更に1階層下に存在するSample1.jpgを示すことになる。
【００８１】
従って、ホームページ上の画像データであるSample1.jpgそのものをダウンロードするのではなく、http://www.candy.co.jp/Sample1.jpgというテキストによる記述をダウンロードし、RAM204やROM205などのメモリに記憶することで、メモリの使用量を削減でき多くの情報を記憶することが可能となる。一般的に携帯電話200やPDA400は、屋外でのインターネット500へのアクセスに最適であり、また情報検索などの目的に使用されるケースが多いため、このような使用目的の時は、詳細情報やプリントをする機会は少ないと思われる。
【００８２】
しかしながら、一度屋内へ戻れば、屋外にて検索した情報などのより詳細な情報をプリントする機会も多くなり、また詳細情報を格納する事の可能な記憶容量を十分に有する機器が用意されているケースが多い。
【００８３】
ここでは、前述したように屋外或いは、屋内において、携帯電話200やPDA400などによりダウンロードされたURLなどを基に、BluetoothやIrDA等の近距離無線データ通信技術を装備したプリンタ100及びNote PC300が存在する環境での動作を例に説明するが、プリンタが複数台存在する環境や他の機器が存在する環境においても同様である。また、通信に関する動作は、通信規約等に規定されている方式に則って実施されるものとし、詳細の説明は省略する。
【００８４】
まず、図2において、プリンタ100の操作部106の電源スイッチ(不図示)を押下することにより電源の接続をすると、ROM108に格納されているプログラムの制御の基にプリンタ制御部102は、操作部103のLED(不図示）の表示やプリンタ100のプリンタエンジン101およびRAM107等の初期化を実行する。即ちワークRAMのクリアやプリンタエンジン101のプリントヘッド(不図示）などの機構を初期位置へ戻す。
【００８５】
次に、ROM108に格納されている通信部103の制御に関する変数等、例えば、通信部の初期周波数や通信部103との通信速度（ボーレイト）等をRAM107に設定したり、または、通信部103へ送り通信部103の初期設定を実行する。
【００８６】
この後、プリンタ100は、S3にて通信待機状態になり携帯端末装置200からの指示待ち状態となる。この状態では、プリンタ100が通常装備している不図示のUSBやセントロニクスなどのインターフェイスを介して入力されるケーブル接続された不図示のホストからのデータを受信し、印刷できることは言うまでもない。
【００８７】
一方、図3において、携帯電話200の操作部203の電源スイッチ(不図示）を押下することにより、ROM205に格納されたプログラムの制御の基に、通信システム制御部201は、プリンタ100と同様にRAM204の初期化を実行し、通信部206、通信部208、表示部202の初期化を実行する。
【００８８】
この後、携帯電話200は、通信待機状態となり他の通信装置からの呼び出しや操作部203からの操作指示待ちの状態となる。
【００８９】
同様に、図4において、Note PC300の操作部303の電源スイッチ(不図示)を押下することにより、ROM305に格納されたプログラムの制御の基に、システム制御部302は、携帯電話200と同様にRAM304の初期化を実行し、通信部308、通信部311、表示部306の初期化を実行する。
【００９０】
この後、Note PC300は、通信待機状態となり他の通信装置からの呼び出しや操作部303からの操作指示待ちの状態となる。
【００９１】
ここで、BluetoothやIrDA等の近距離無線データ通信技術を搭載した通信装置では、操作部203からのキー入力等による操作指示により、表示部202の表示内容をプルダウンメニュー形式で切替え表示していくのが一般的であるので、近距離無線データ通信用の表示メニュー(不図示)に切り替えて操作部203のキー操作に従い通信を実行することになる。
【００９２】
いま、表示部202のメニューに従いBluetoothなどの近距離無線データ通信が選択されると、通信システム制御部201は、プログラムROM205の制御の基にキー入力からの指示が他の無線通信装置との接続要求であると判断し、周囲に近距離無線データ通信が可能な装置（接続先クライアント）が所在しているか否かを調べるために、通信部208、アンテナ209を介して所定の検索方法にて検索する。例えば、Bluetoothなどの通信規約、いわゆるサービスディスカバリプロファイルなどにて規定されている検索方式に則り通信装置を検索し、通信可能な装置から装置の応答を待つことになる。
【００９３】
この時、携帯電話200の通信システム制御部201は、プリンタ100とNote PC300からの接続可能応答を受信することになる。PDA400の電源が投入されていれば、PDA400からの応答も受信することは、言うまでもない。
【００９４】
次に、通信システム制御部201は、接続可能応答の通信機器の応答リストを表示部202に表示する。ユーザは、このリストの中から接続先クライアントであるNote PC300を選択し、通信システム制御部201の制御の基に携帯電話200とNote PC300は、無線データ通信を介して接続される。
【００９５】
接続が完了すると、通信システム制御部201は、RAM204或いは、ROM205 に一時的に記憶されているURL情報である「http://www.candy.co.jp/Sample1.jpg」をNote PC300に無線データ通信にて、アンテナ209、通信部208を介して送信する。一方、アンテナ309、通信部308を介して受信した携帯電話200からのURL情報を基に、記憶装置307に格納されているインターネットの検索ソフトであるWebブラウザー（不図示）を自動的に起動し、通信部311のLANアダプタなどを経由して詳細情報をインターネット500からダウンロードし、RAM304或いは記憶装置307に一時的に格納する。
【００９６】
即ち、ホームページ「http://www.candy.co.jp/Sample1.jpg」の中のSample1.jpgで表記されている画像データそのものをダウンロードして記憶する。
【００９７】
次に、このダウンロードしたSample1.jpgの画像データをプリンタ100で印刷するためには、携帯電話200とNote PC300との無線データ通信の接続を一度切断し、Note PC300とプリンタ100との無線データ通信の接続を再度実行することになる。詳細の動作は、前述の携帯電話200とNote PC300との接続の方法と基本的に同じであるため省略する。
【００９８】
但し、一般的に携帯電話200やPDA400は、屋外でのインターネット500へのアクセスに最適であり、また情報検索などの目的に使用されるケースが多い。
【００９９】
いま、携帯電話200とNote PC300 の無線データ通信の切断後、ユーザが印刷をするためにキー操作部303からの指示を入力すると、システム制御部302は、Note PC300の通信部308とアンテナ309及びプリンタ100の通信部103とアンテナ111を介して無線データ通信接続を実行する。
【０１００】
接続が完了すると、Note PC300では、受信した圧縮画像データを表示部306に表示するために、記憶装置307の格納されている画像変換プログラムにより圧縮画像データを伸張して表示部306に表示可能なデータ形式に変換して表示するとともに、印刷用のデータ、例えば、ラスターデータを生成し、RAM304或いは、記憶装置307に一時的に格納する。ここで、表示部306は、一般的にグラフィックディスプレイで構成されているためビットイメージに展開する必要がある。例えば、JPGデータをBMPデータ（Bit Map Image）に変換し表示する。また、生成された印刷データであるラスターデータを無線データ通信にてプリンタ100に送信することで、プリンタ100に印刷することが可能になる。
【０１０１】
ここで、プリンタ100が本実施例のプリンタのようにJpegなどの画像圧縮フォーマットをサポートしていれば、Note PC300にてプリンタ用の印刷データを生成する必要がないことは言うまでもなく、Jpeg画像形式の画像データを送信すればよい。
【０１０２】
本実施例では、プリンタ100が、画像処理部109やJpeg画像解凍110などの機能を有しているため、ダウンロードしたSample1.jpgという圧縮画像データをそのまま送信する。
【０１０３】
一方、プリンタ100では、受信した画像データSample1.jpgを印刷するために、プリンタ制御部102は、一時的に受信格納された画像データSample1.jpgをRAM107から読みだし、画像伸張部110に出力する。画像伸張部110では、圧縮されている画像データ（Sample1.jpg）を伸張しプリンタ100で印刷できる様に色空間変換するために画像処理部109に出力する。画像処理部109では、入力された伸張画像データを色変換、例えば、RGBからYMCKへの色変換を実行し、変換後のデータを印刷データとしてRAM107に格納する。即ち、画像伸張部110にて、JPG画像データをビットイメージに変換し、かつ画像処理部109にて、変換されたRGBデータをインクジェットプリンタ100の扱えるYMCKデータに変換する。この変換をすることにより、初めて光学系の3原色データを色の4原色として扱える様になり印刷が可能となる。
【０１０４】
プリンタ制御部102は、RAM107に格納された印刷データを読み出すと同時にプリンタエンジン101に出力して印刷をする。
【０１０５】
このように、携帯電話200などの比較的処理能力の低い携帯端末では、インターネット情報のロケーション情報（URL）のみを取得記憶するようにし、Bluetoothなどの無線データ通信方式に従って接続されたNote PC300或いは、プリンタ100にＵＲＬ情報のみを送受信することで、詳細情報の検索や詳細情報のダウンロード及び印刷に関する画像処理をNote PC300或いは、プリンタ100にて処理するようにすることにより携帯電話200などに高い処理能力を要求することもなく快適に操作をすることが出来る。また、ＵＲＬ情報などの簡略情報の記憶のみですむために少ない記憶メモリ容量でも多くの情報発信元のＵＲＬ情報を収集することが出来る上に、必要なときに携帯端末より更に高速処理が可能な機器での印刷処理を可能とするものである。
【０１０６】
以上の説明は、BluetoothやIrDA等の近距離無線データ通信で説明してきたが、この他の無線データ通信方式や双方向通信機能を有する有線の通信方式に適用できることは、言うまでもない。
【０１０７】
以上の説明は、携帯電話200をインターネット500に接続し、簡略情報であるURL情報を取得した後、無線データ通信にてNote PC300にURL情報を送信することによりNotePC300での詳細情報取得、及びプリントデータの生成或いは、プリントデータの送信動作の例を詳細に説明したが、本実施例であるプリンタ100にインターネット500への接続機能であるデータ通信回線網への接続手段を有するようにし、且つインターネット500を閲覧できるソフトウエア機能であるＷｅｂブラウザー機能を搭載すれば、情報処理装置300にて詳細情報の取得や印刷処理などをする必要もなく、携帯端末装置200から直接に無線データ通信にて取得情報であるＵＲＬを送信し、プリンタ100において、詳細情報をインターネット500からダウンロードして印刷することも可能であることは言うまでもない。
【０１０８】
以上、説明した様に、携帯電話200などの比較的処理能力の低い携帯端末では、インターネット情報のロケーション情報（URL）のみを取得記憶するようにし、Bluetoothなどの無線データ通信方式に従って接続することで、Note PC300或いは、プリンタ100にURL情報のみを送受信し、詳細情報の検索や詳細情報のダウンロード及び印刷に関する画像処理に関しては、Note PC300或いは、プリンタ100にて処理するようにすることにより携帯電話200などに高い処理能力を要求することもなく快適に操作をすることが出来る。更には、無線データ接続することで、ケーブル接続などの煩わしさもなく携帯性を損なうことなく、また、URL情報などの簡略情報の記憶のみですむために少ない記憶メモリ容量でも多くの情報発信元のURLを収集することが出来る上に、必要なときに携帯端末より更に高速処理が可能な機器での印刷処理を可能とするものである。
【図面の簡単な説明】
【０１０９】
【図１】本実施例のシステム全体構成ブロック図
【図２】本実施例の印刷装置の構成ブロック図
【図３】本実施例の携帯端末装置（携帯電話）の構成ブロック図
【図４】本実施例の情報処理装置（Note PC）の構成ブロック図
【図５】本実施例の携帯端末装置（PDA）の構成ブロック図
【図６】従来例1
【符号の説明】
【０１１０】
100  プリンタ
101  プリンタエンジン
102  プリンタ制御部
103  通信部
104  メモリカードスロット制御部
105  メモリカードコネクタ
106  操作部
107  ランダムアクセスメモリ（RAM）
108  リードオンリーメモリ（ROM）
109  画像処理部
110  画像伸張部
111  アンテナ
112  電源部
200  携帯端末装置（携帯電話）
201  通信システム制御部
202  表示部
203  操作部
204  ランダムアクセスメモリ（RAM）
205  リードオンリーメモリ（ROM）
206  通信部
207  アンテナ
208  通信部
209  アンテナ
210  アナログ・デジタル変換部
211  デジタル・アナログ変換部
212  マイク
213  スピーカ
214  電源部
300  情報処理装置（Note PC）
301  マイクロプロセッサ（CPU）
302  システム制御部
303  キー操作部
304  ランダムアクセスメモリ（RAM）
305  リードオンリーメモリ（ROM）
306  表示部（LCD）
307  記憶装置
308  通信部
309  アンテナ
310  電源部
311  通信部
400  携帯端末装置（PDA）
401  マイクロプロセッサ（CPU）
402  システム制御部
403  タッチパネル操作部
404  ランダムアクセスメモリ（RAM）
405  リードオンリーメモリ（ROM）
406  表示部（LCD）
407  記憶装置
408  通信部
409  アンテナ
410  電源部
411  通信部
500  データ通信回線網（インターネット）
600  プリンタ
601  Note PC
602  ケーブル
603  携帯端末装置（PDA）
604  携帯端末装置（携帯電話）
605  ケーブル
606  表示器（LCD）
607  ケーブル
608  データ通信回線網（インターネット）
【図１】
2006215630.tif 000003
【図２】
2006215630.tif 000004
【図３】
2006215630.tif 000005
【図４】
2006215630.tif 000006
【図５】
2006215630.tif 000007
【図６】
2006215630.tif 000008